(57)【要約】【課題】撮影レンズを下方向に向けて特殊な撮影を行うことのできる撮像装置を提供する。【解決手段】撮影レンズ３１を有する撮像部１２が装置本体１１の前後方向に回動自在に取り付けられ、撮像部１２を特定の位置に回動させて撮像部１２を下向きにした場合に撮像部１２と装置本体１１の設置面との間に所定の間隙ｄ１が形成され、そこに被写体３３を置いて顕微鏡ような形態で撮影できる。この場合、撮像部１２が前記特定の位置にあることが回動角度検出５４により検出され、制御部４１は撮影レンズ３１の下に置かれた被写体３３にピントを合わせて所定の撮影条件で撮影するように撮影動作を制御する。【選択図】      図５
2006050012.tif 000002
【特許請求の範囲】
【請求項１】
装置本体と、
撮影レンズを有する撮像部と、
この撮像部を前記装置本体の前後方向に回動自在に支持すると共に、前記撮像部を特定の位置に回動させて前記撮影レンズを下向きにした場合に前記撮影レンズと前記装置本体の設置面との間に所定の間隙を形成する回動機構と
を具備したことを特徴とする撮像装置。
【請求項２】
装置本体と、
撮影レンズを有する撮像部と、
この撮像部を前記装置本体の前後方向に回動自在に支持すると共に、前記撮像部を特定の位置に回動させて前記撮影レンズを下向きにした場合に前記撮影レンズと前記装置本体の設置面との間に所定の間隙を形成する回動機構と、
前記撮像部をその長手方向に移動自在に支持し、前記回動機構によって形成される前記所定の間隙を広げる方向に前記撮像部の位置を調整可能な位置調整機構と
を具備したことを特徴とする撮像装置。
【請求項３】
前記回動機構によって形成される前記所定の間隙を広げる方向に前記装置本体を持ち上げる構造を有するクレードルと、
このクレードルと前記装置本体とを接続する接続機構と
を具備したことを特徴とする請求項１または２記載の撮像装置。
【請求項４】
前記撮像部の回動位置を検出する検出手段と、
この検出手段によって前記撮像部が前記特定の位置にあることが検出されたときに、前記撮影レンズの下に置かれた被写体にピントを合わせて所定の撮影条件で撮影するように撮影動作を制御する撮影制御手段と
を具備したことを特徴とする請求項１または２記載の撮像装置。
【請求項５】
前記撮像部が前記特定の位置にある場合に、前記撮影レンズから被写体までの距離と現在の倍率とに基づいて当該被写体の実寸寸法を算出する実寸寸法算出手段と、
前記撮像部を通じて得られる被写体の撮影画像をスルー画像として表示すると共に、前記実寸寸法算出手段によって算出された被写体の実寸寸法を示す目盛をそのスルー画像上に重ねて表示する表示手段と
を具備したことを特徴とする請求項４記載の撮像装置。
【請求項６】
撮影レンズを有する撮像部が装置本体の前後方向に回動自在に取り付けられ、前記撮像部を特定の位置に回動させて前記撮影レンズを下向きにした場合に前記撮影レンズと前記装置本体の設置面との間に所定の間隙が形成されるように構成された撮像装置に用いられる撮影処理方法であって、
前記撮像部の回動位置を検出するステップと、
前記撮像部が前記特定の位置にあることが検出されたときに、前記撮影レンズの下に置かれた被写体にピントを合わせて所定の撮影条件で撮影するように撮影動作を制御するステップと
を備えたことを特徴とする撮影処理方法。
【請求項７】
前記撮像部が前記特定の位置にある場合に、前記撮影レンズから被写体までの距離と現在の倍率とに基づいて当該被写体の実寸寸法を算出するステップと、
前記撮像部を通じて得られる被写体の撮影画像をスルー画像として表示すると共に、前記算出された被写体の実寸寸法を示す目盛をそのスルー画像上に重ねて表示するステップと
をさらに備えたことを特徴とする請求項６記載の撮影処理方法。
【請求項８】
撮影レンズを有する撮像部が装置本体の前後方向に回動自在に取り付けられ、前記撮像部を特定の位置に回動させて前記撮影レンズを下向きにした場合に前記撮影レンズと前記装置本体の設置面との間に所定の間隙が形成されるように構成された撮像装置を制御するコンピュータに用いられるプログラムであって、
前記コンピュータに、
前記撮像部の回動位置を検出する機能と、
前記撮像部が前記特定の位置にあることが検出されたときに、前記撮影レンズの下に置かれた被写体にピントを合わせて所定の撮影条件で撮影するように撮影動作を制御する機能と
を実現させることを特徴とするプログラム。
【請求項９】
前記コンピュータに、
前記撮像部が前記特定の位置にある場合に、前記撮影レンズから被写体までの距離と現在の倍率とに基づいて当該被写体の実寸寸法を算出する機能と、
前記撮像部を通じて得られる被写体の撮影画像をスルー画像として表示すると共に、前記算出された被写体の実寸寸法を示す目盛をそのスルー画像上に重ねて表示する機能と
をさらに実現させることを特徴とする請求項８記載のプログラム。
【発明の詳細な説明】
【技術分野】
【０００１】
本発明は、例えばデジタルカメラなどの撮像装置に係り、特に装置本体に対して撮像部が回動自在な撮像装置と、この撮像装置に用いられる撮影処理方法及びプログラムに関する。
【背景技術】
【０００２】
従来、デジタルカメラなどの撮像装置において、撮影レンズを有する撮像部が装置本体に対して回動自在に取り付けられた所謂「可動式カメラ」と呼ばれるものが知られている（例えば特許文献１，２参照）。
【０００３】
この種の可動式カメラでは、通常の撮影時には、撮像部に設けられた撮影レンズを前方の被写体に向けておき、装置本体の裏面に設置されたＬＣＤファインダで前記撮影レンズを通して得られる撮影画像（スルー画像）を確認しながら、静止画または動画の撮影を行うことができる。また、撮影レンズを装置本体の裏面側つまり撮影者自身に向けることで、ＬＣＤファインダで自分の画像を見ながら「自分撮り」と呼ばれる撮影を行うことができる。
【０００４】
また、収納時には、撮像部を装置本体と平行位置に回動させることで、機器全体を直方体形状にしてコンパクトに収納することができる。
【特許文献１】特許第２７３４４５４号明細書
【特許文献２】特許第２８４８３７７号明細書
【発明の開示】
【発明が解決しようとする課題】
【０００５】
上述した回動式カメラでは、撮像部を装置本体の前後に３６０度回動可能な構造のものが多い。しかし、通常、撮影者は装置本体を手で支えながら撮像部を動かして、撮影レンズを前方に向けて撮影するか、あるいは、装置本体の裏面側に向けて自分撮りを行うことが主であり、それ以外での向き、特に、撮影レンズを下方向に向けて積極的に撮影を行うようにしたものはない。
【０００６】
そこで、本発明は、撮影レンズを下方向に向けて特殊な撮影を行うことのできる撮像装置、撮影処理方法及びプログラムを提供することを目的とする。
【課題を解決するための手段】
【０００７】
本発明の請求項１に係る撮像装置は、装置本体と、撮影レンズを有する撮像部と、この撮像部を前記装置本体の前後方向に回動自在に支持すると共に、前記撮像部を特定の位置に回動させて前記撮影レンズを下向きにした場合に前記撮影レンズと前記装置本体の設置面との間に所定の間隙を形成する回動機構とを具備して構成される。
【０００８】
このような構成によれば、撮像部を装置本体の前後方向に回動させて撮影レンズを下向きにすると、撮影レンズと装置本体の設置面との間に所定の間隙が形成される。したがって、本装置をテーブルの上などに置いて撮影レンズを下に向ければ、顕微鏡のような形態で撮影レンズの下にある被写体に対する撮影を手ぶれなどの心配なしに誰でも簡単に行うことができる。
【０００９】
本発明の請求項２に係る撮像装置は、装置本体と、撮影レンズを有する撮像部と、この撮像部を前記装置本体の前後方向に回動自在に支持すると共に、前記撮像部を特定の位置に回動させて前記撮影レンズを下向きにした場合に前記撮影レンズと前記装置本体の設置面との間に所定の間隙を形成する回動機構と、前記撮像部をその長手方向に移動自在に支持し、前記回動機構によって形成される前記所定の間隙を広げる方向に前記撮像部の位置を調整可能な位置調整機構とを具備して構成される。
【００１０】
このような構成によれば、撮像部を装置本体の前後方向に回動させて撮影レンズを下向きにすると、撮影レンズと装置本体の設置面との間に所定の間隙が形成される。したがって、本装置をテーブルの上などに置いて撮影レンズを下に向ければ、顕微鏡のような形態で撮影レンズの下にある被写体に対する撮影を手ぶれなどの心配なしに誰でも簡単に行うことができる。さらに、撮像部を長手方向に移動させる位置調整機構を備えることで、被写体の厚みに応じて撮影レンズとの間隔を調整して撮影することができる。
【００１１】
また、本発明の請求項３は、前記請求項１または２記載の撮像装置において、前記回動機構によって形成される前記所定の間隙を広げる方向に前記装置本体を持ち上げる構造を有するクレードルと、このクレードルと前記装置本体とを接続する接続機構とを具備したことを特徴とする。
【００１２】
このような構成によれば、装置本体をクレードルに接続することで、撮像部の撮影レンズと装置本体の設置面との間の間隙をさらに広げて、様々な被写体を撮影レンズの下に置いて撮影することができる。
【００１３】
また、本発明の請求項４は、前記請求項１または２記載の撮像装置において、前記撮像部の回動位置を検出する検出手段と、この検出手段によって前記撮像部が前記特定の位置にあることが検出されたときに、前記撮影レンズの下に置かれた被写体にピントを合わせて所定の撮影条件で撮影するように撮影動作を制御する制御手段とを具備したことを特徴とする。
【００１４】
このような構成によれば、撮像部を特定の位置に回動させて撮影レンズを下向きにした状態で、その撮影レンズの下に置いた被写体にピントを合わせて所定の撮影条件で撮影することができる。
【００１５】
また、本発明の請求項５は、前記請求項４記載の撮像装置において、前記撮像部が前記特定の位置にある場合に、前記撮影レンズから被写体までの距離と現在の倍率とに基づいて当該被写体の実寸寸法を算出する実寸寸法算出手段と、前記撮像部を通じて得られる被写体の撮影画像をスルー画像として表示すると共に、前記実寸寸法算出手段によって算出された被写体の実寸寸法を示す目盛をそのスルー画像上に重ねて表示する表示手段とを具備したことを特徴とする。
【００１６】
このような構成によれば、撮像部を特定の位置に回動させた場合に、その撮像部の撮影レンズの下に置いた被写体の実寸寸法が算出されて当該被写体のスルー画像として共に表示されるので、画面を通して被写体の実寸寸法を知ることができる。
【００１７】
本発明の請求項６に係る撮影処理方法は、撮影レンズを有する撮像部が装置本体の前後方向に回動自在に取り付けられ、前記撮像部を特定の位置に回動させて前記撮影レンズを下向きにした場合に前記撮影レンズと前記装置本体の設置面との間に所定の間隙が形成される撮像装置に用いられる撮影処理方法であって、前記撮像部の回動位置を検出するステップと、前記撮像部が前記特定の位置にあることが検出されたときに、前記撮影レンズの下に置かれた被写体にピントを合わせて所定の撮影条件で撮影するように撮影動作を制御するステップとを備えたことを特徴とする。
【００１８】
このような撮影処理方法によれば、前記各ステップに従った処理を実行することにより、前記請求項４記載の発明と同様の作用効果が奏せられる。
【００１９】
また、本発明の請求項７は、前記請求項６記載の撮影処理方法において、前記撮像部が前記特定の位置にある場合に、前記撮影レンズから被写体までの距離と現在の倍率とに基づいて当該被写体の実寸寸法を算出するステップと、前記撮像部を通じて得られる被写体の撮影画像をスルー画像として表示すると共に、前記算出された被写体の実寸寸法を示す目盛をそのスルー画像上に重ねて表示するステップとをさらに備えたことを特徴とする。
【００２０】
このような撮影処理方法によれば、前記各ステップに従った処理を実行することにより、前記請求項５記載の発明と同様の作用効果が奏せられる。
【００２１】
本発明の請求項８に係るプログラムは、撮影レンズを有する撮像部が装置本体の前後方向に回動自在に取り付けられ、前記撮像部を特定の位置に回動させて前記撮影レンズを下向きにした場合に前記撮影レンズと前記装置本体の設置面との間に所定の間隙が形成されるように構成された撮像装置を制御するコンピュータに用いられるプログラムであって、前記コンピュータに、前記撮像部の回動位置を検出する機能と、前記撮像部が前記特定の位置にあることが検出されたときに、前記撮影レンズの下に置かれた被写体にピントを合わせて所定の撮影条件で撮影するように撮影動作を制御する機能とを実現させることを特徴とする。
【００２２】
したがって、コンピュータが前記各機能を実現するためのプログラムを実行することにより、前記請求項４記載の発明と同様の作用効果が奏せられる。
【００２３】
また、本発明の請求項９は、前記請求項８記載のプログラムにおいて、前記コンピュータに、前記撮像部が前記特定の位置にある場合に、前記撮影レンズから被写体までの距離と現在の倍率とに基づいて当該被写体の実寸寸法を算出する機能と、前記撮像部を通じて得られる被写体の撮影画像をスルー画像として表示すると共に、前記算出された被写体の実寸寸法を示す目盛をそのスルー画像上に重ねて表示する機能とをさらに実現させることを特徴とする。
【００２４】
したがって、コンピュータが前記各機能を実現するためのプログラムを実行することにより、前記請求項５記載の発明と同様の作用効果が奏せられる。
【発明の効果】
【００２５】
本発明の撮像装置によれば、撮像部を装置本体の前後方向に回動させて撮影レンズを下向きにした場合に、撮影レンズと装置本体の設置面との間に所定の間隙が形成されるので、装置本体をテーブルの上などに置いて撮影レンズを下方向に向ければ、顕微鏡のような形態で、撮影レンズの下にある被写体に対する撮影を手ぶれなどの心配なしに誰でも簡単に行うことができる。
【発明を実施するための最良の形態】
【００２６】
以下、図面を参照して本発明の実施形態を説明する。
【００２７】
（第１の実施形態）
図１は本発明の第１の実施形態に係る撮像装置として回動式のデジタルカメラを例にした外観構成の一例を示す図であり、図１（ａ）は装置本体の上面図、同図（ｂ）は装置本体の裏面図、同図（ｃ）は装置本体の正面図、同図（ｄ）は装置本体の底面図を示しており、それぞれに撮像部はレンズを上向きにした状態を示している。また、同図（ｅ）は撮像部のレンズを下向きにした場合の装置本体の裏面図である。
【００２８】
本実施形態におけるデジタルカメラ１０は、静止画／動画の撮影機能を備えると共に、ＡＦ（自動焦点）機能、ＡＥ（自動露出）機能、望遠ズーム機能、広角マクロ撮影などを備えており、さらに、後述するクレードルを介して充電器やパソコンにも接続できる構造を有する。
【００２９】
このデジタルカメラ１０は、主として制御系および操作系としての機能を備えた装置本体１１と、撮像系として機能を備えた撮像部１２とからなる。撮像部１２は、装置本体１１に対して回動機構１３を介して装置本体１１の前後方向に３６０度回動自在に取り付けられている。この場合、図１（ａ）〜（ｄ）に示すように、この撮像部１２を上向きの状態にすると、このカメラ機器全体が略直方体の形状になり、コンパクトに収納することができる。
【００３０】
装置本体１１の上面１１ａには、図１（ａ）に示すように、電源のＯＮ／ＯＦＦ操作を行うための電源キー１４、静止画の撮影タイミングを指示するためのシャッターキー１５、このシャッターキー１５の周囲に配されてリングを回すことでズーム操作を行うズーム操作レバー１６、操作音の出力や音声付き動画再生時の音声出力に用いられるスピーカ１７などが設けられている。
【００３１】
また、装置本体１１の裏面１１ｂには、図１（ｂ）に示すように、「撮影モード」、「再生モード」、「設定モード」などの各種モードを切り替え操作するためのモードキー１８が設けられている。また、フラッシュモードの切り替えを行うためのフラッシュキー１８ａ、動画撮影の開始／終了のタイミングを指示するための動画撮影キー１９、各種メニューの表示を指示するためのメニューキー２０、各種項目の選択、確定操作を行うための上下左右の方向のカーソルキー２１、モニタの表示方式を切り替えるためのＤＩＳＰ（ディスプレイ）キー２２、そして、所定サイズの画面を有する表示部２３などが設けられている。
【００３２】
前記表示部２３は、例えばバックライト付きのカラー液晶パネルで構成され、撮影時には電子ファインダとしてスルー画像のモニタ表示を行う一方で、再生時には再生対象として選択された画像等を表示する。
【００３３】
また、装置本体１１の前面１１ｃには、図１（ｃ）に示すように、音声付き動画再生時の音声入力を行うためのマイクロフォン２４、装置本体１１を手で支えるときの取っ手として利用されるグリップ２５などが設けられている。
【００３４】
また、装置本体１１の底面１１ｄには、図１（ｄ）に示すように、例えばリチウムイオン電池などの二次電池が内蔵された電池パックを収納するための電池収納部２６、クレードルやＰＣなどの外部機器を接続するための接続端子２７、三脚をセットするための三脚穴２８などが設けられている。
【００３５】
一方、撮像部１２は、図１（ａ）に示すように、回動機構１３によって装置本体１１の前後方向に３６０度回動可能であり、その長手方向の一端面１２ａに複数の光学系レンズからなる撮影レンズ３１、その撮影レンズ３１の近傍に撮影時に発光するフラッシュ３２などが設けられている。
【００３６】
ここで、本実施形態において、撮像部１２は、回動機構１３を介して装置本体１１の一側面の中心から撮影レンズ３１側に少し偏心した位置に設けられている。これにより、この撮像部１２を収納時の直方体形状に戻す初期位置から１８０度反対側の特定の位置に回動させて撮影レンズ３１を下向きにした場合に、図１（ｅ）に示すように、撮影レンズ３１と装置本体１１の設置面との間に最大でｄ１（例えば１ｃｍ〜６ｃｍ）のギャップ（間隙）が形成されるようになっている。
【００３７】
また、このように撮像部１２を特定の位置に回動させて撮影レンズ３１を下向きにすると、「顕微鏡撮影モード」と呼ばれる特殊な撮影モードに自動的に切り替えられ、撮影レンズ３１に含まれるフォーカスレンズが広角側に移動してマクロ撮影可能な状態に焦点が自動調整されると共に、その際にシャッター速度や絞り、ホワイトバランス、フラッシュ発光量などの撮影条件が自動設定される。
【００３８】
このような構成のデジタルカメラ１０では、装置本体１１をテーブルの上などに置いた状態で撮影レンズ３１の下方向に向ければ、その撮影レンズ３１の下に例えば宝石類や時計などの小物類、あるいは、植物や昆虫、微生物などの拡大観察したい被写体をセットして、あたかも顕微鏡を覗くような感覚で被写体をモニタ画面上で観察することができると共に、高倍率に拡大した場合でも手ぶれなどの心配なく、常に安定した状態で被写体を簡単に撮影することができる。
【００３９】
図２乃至図４はこのデジタルカメラ１０の各撮影モード毎の撮像部１２の姿勢位置を示す図である。
【００４０】
図２は通常撮影モード時の撮像部１２の姿勢位置を示す図である。通常撮影モードでは、撮像部１２の撮影レンズ３１を装置本体１１の前面１１ｃ側に向けた状態で、その前方にある被写体を撮影することができる。図３は自分撮り撮影モード時の撮像部１２の姿勢位置を示す図である。自分撮り撮影モードでは、撮像部１２の撮影レンズ３１を装置本体１１の裏面１１ｂ側に向けた状態で、撮影者自身を被写体として撮影することができる。また、図４は顕微鏡撮影モード時の撮像部１２の姿勢位置を示す図である。顕微鏡撮影モードでは、撮像部１２の撮影レンズ３１を下方向に向けた状態で、撮影レンズ３１の下に置かれた被写体を撮影することができる。
【００４１】
なお、ここでは特に図示していないが、撮像部１２の撮影レンズ３１を上に向ければ、望遠鏡撮影モードに切り替えられ、真上にある被写体（例えば星）を撮影することができる。
【００４２】
次に、デジタルカメラ１０の回路構成について説明する。
【００４３】
図５は第１の実施形態におけるデジタルカメラ１０の回路構成を示すブロック図である。
【００４４】
デジタルカメラ１０の装置本体１１には、マイクロコンピュータからなる制御部４１が備えられている。制御部４１は、ＲＯＭなどからなるプログラムメモリ４１ａを有し、このプログラムメモリ４１ａに予め記憶された撮影制御用のプログラムを読み込むことで各種処理を実行する。
【００４５】
この制御部４１には、シャッターキー１５、動画撮影キー１９、その他の操作入力部４２が入力インタフェース４３を介して接続される。操作入力部４２としては、図１に示した電源キー１４、モードキー１８、フラッシュキー１８ａ、メニューキー２０、カーソルキー２１、ＤＩＳＰキー２２などが含まれる。
【００４６】
また、この装置本体１１には、ＶＲＡＭなどからなる表示メモリ４４と、この表示メモリ４４に記憶されたデータに従って表示部２３を駆動する表示駆動部４５が備えられると共に、静止画／動画の信号処理を行う画像信号処理部４６と、例えばＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）やＭＰＥＧ（Ｍｏｖｉｎｇ  Ｐｉｃｔｕｒｅ  Ｅｘｐｅｒｔ  Ｇｒｏｕｐ）、ｍｏｔｉｏｎ−ＪＰＥＧなどを用いた圧縮符号化／復号部４７などが備えられている。
【００４７】
また、記録手段として、所定容量の画像メモリ４８が予め備えられていると共に、例えばフラッシュメモリカードなどの外部メモリ５０が外部メモリインタフェース４９を介して任意に装着される。
【００４８】
その他、電池収納部２６に収納された電池パック５２を電源として各部の動作に必要な電圧を供給する電源制御部５１、接続端子２７に接続されたクレードルやＰＣなどの外部機器とのインタフェース処理を行う外部Ｉ／Ｏインタフェース５３などが備えられている。
【００４９】
さらに、この装置本体１１には回動角度検出部５４が設けられている。回動角度検出部５４は、回動機構１３によって装置本体１１の前後方向に回動可能な撮像部１２の姿勢位置（回動角度）を電気的あるいは機械的に検出し、その検出信号を制御部４１に出力する。
【００５０】
一方、このデジタルカメラ１０の撮像部１２には、フォーカスレンズ６１ａ、ズームレンズ６１ｂ，６１ｃを含む多数の光学系レンズからなる撮影レンズ３１と、この撮影レンズ３１の光軸上に配設される絞り機構６２、ハーフミラー６３、シャッタ６４、ＣＣＤ（ｃｈａｒｇｅ  ｃｏｕｐｌｅｄ  ｄｅｖｉｃｅ）などの撮像素子６５、そして、フォーカスレンズ６１ａ、ズームレンズ６１ｂ，６１ｃを所定の範囲内で移動させるレンズ駆動部６６ａ，６６ｂ、ハーフミラー６３の反射経路に設置される測光・測距センサ６７などが設けられている。
【００５１】
また、撮像素子６５を通じて得られた画像信号を処理するためのＣＤＳ／ＡＧＣ回路６８およびＡ／Ｄ回路６９、撮像素子６５を駆動するためのタイミング制御＆ドライバ７０、さらにフラッシュ３２とそのフラッシュ３２を発光駆動するためのフラッシュ駆動部７１などが設けられている。
【００５２】
なお、この撮像部１２の回路構成については、一般的なデジタルカメラと同様であり、図５に示した構成に限定されるものではない。
【００５３】
次に、第１の実施形態の動作について説明する。
【００５４】
なお、以下の各フローチャートで示される処理は、このデジタルカメラ１０の装置本体１１に搭載されたマイクロコンピュータである制御部４１がＲＯＭ等に記憶されたプログラムを読み込むことにより実行される。また、後述する他の実施形態の処理についても同様であり、制御部４１がこれらの処理を実現するためのプログラムを読み込むことで実行される。
【００５５】
図６は第１の実施形態におけるデジタルカメラ１０の電源投入時の処理動作を示すフローチャートである。
【００５６】
電源キー１４の押下操作により電源が投入されると、まず、制御部４１は、例えば表示部２３にメインメニューを表示するなど、所定の初期設定処理を行った後、ユーザからの入力操作を待つ（ステップＡ１１）。ここで、モードキー１８の操作により「撮影モード」以外のモードが選択された場合には（ステップＡ１２のＮｏ）、制御部４１は、当該選択モードに応じた通常の処理を行う。
【００５７】
すなわち、例えば「再生モード」が選択された場合には（ステップＡ１３のＹｅｓ）、制御部４１は、ユーザにより再生対象とした選択された撮影画像（静止画／動画）を画像メモリ４８あるいは外部メモリ５０から読み出して表示部２３に表示するなどの再生処理を実行する（ステップＡ１５）。
【００５８】
また、「設定モード」が選択された場合には（ステップＡ１４のＹｅｓ）、制御部４１は、例えば日付の設定など、ユーザにより設定対象とした選択された項目に対応した設定処理を実行する（ステップＡ１６）。これらの以外のモードが選択された場合には（ステップＡ１４のＮｏ）、制御部４１は、その選択されたモードに応じた処理を実行する（ステップＡ１７）。
【００５９】
一方、「撮影モード」が選択された場合には（ステップＡ１２のＹｅｓ）、制御部４１は、例えば撮影レンズ３１を構成する各光学系レンズ６１ａ〜６１ｃを初期位置に設定するなどの撮影モード用の初期設定処理を行った後（ステップＡ１８）、以下のような処理を実行する。
【００６０】
すなわち、撮影モードの設定に伴い、制御部４１は、撮影レンズ３１を有する撮像部１２の姿勢位置を検出する（ステップＡ１９）。ここでは、撮像部１２の姿勢位置として、「裏向き」、「下向き」、「前向き」、「上向き」の４つがある。
【００６１】
「裏向き」とは、撮像部１２の撮影レンズ３１を装置本体１１の裏面１１ｂ側に向けた状態であり（図３参照）、図１（ａ）〜（ｃ）に示すように、撮影レンズ３１を真上に向いた状態を初期位置とした場合に、そこから撮像部１２を装置本体１１の後方向に９０度回動させた位置である。
【００６２】
「下向き」とは、撮像部１２の撮影レンズ３１を装置本体１１の底面１１ｄ側に向けた状態であり（図４参照）、前記初期位置から撮像部１２を装置本体１１の後方向（または前方向）に１８０度回動させた位置である。
【００６３】
「前向き」とは、撮像部１２の撮影レンズ３１を装置本体１１の前面１１ｃ側に向けた状態であり（図２参照）、前記初期位置から撮像部１２を装置本体１１の前方向に９０度回動させた位置である。
【００６４】
「上向き」とは、撮像部１２の撮影レンズ３１を装置本体１１の上面１１ａ側に向けた状態であり、撮像部１２を前記初期位置に戻した位置つまり０度の位置である。
【００６５】
制御部４１は、図５に示す回動角度検出部５４によって検出される撮像部１２の回動角度に基づいて、撮像部１２がどの姿勢位置にあるかを判断する。ここで、回動角度検出部５４により撮像部１２が装置本体１１の後方向に９０度回動させた位置にあることが検出されると、制御部４１は撮像部１２の姿勢位置が「裏向き」であると判断して（ステップＡ２０のＹｅｓ）、自分撮り撮影処理を実行する（ステップＡ２１）。
【００６６】
この自分撮り撮影処理では、撮像部１２を通じて得られる撮影者自身の撮影画像を上下反転して表示部２３にスルー表示しながら、静止画撮影であれば、シャッターキー１５が押下操作されたタイミングで得られた撮影画像を所定の方式で圧縮して静止画像として画像メモリ４８または外部メモリ５０に記録する。また、動画撮影であれば、動画撮影キー１９の押下により動画撮影を開始し、この動画撮影キー１９が再度押下されるまでの間、撮像部１２を通じて連続的に得られる撮影画像を所定の方式で圧縮しながら動画像として画像メモリ４８または外部メモリ５０に記録する。
【００６７】
一方、回動角度検出部５４により撮像部１２が装置本体１１の後方向（または前方向）に１８０度回動させた位置にあることが検出されると、制御部４１は撮像部１２の姿勢位置が「下向き」であると判断して（ステップＡ２２のＹｅｓ）、顕微鏡撮影処理を実行する（ステップＡ２３）。
【００６８】
この顕微鏡撮影処理では、撮影レンズ３１に含まれるフォーカスレンズ６１ａを広角側に移動させることで、図５に示すように、撮影レンズ３１の下にセットされた被写体３３にピントを合わせるなどして撮影処理を行う。なお、この顕微鏡撮影処理については、後に図７を参照して詳しく説明する。
【００６９】
また、回動角度検出部５４により撮像部１２が装置本体１１の前方向に９０度回動させた位置にあることが検出されると、制御部４１は撮像部１２の姿勢位置が「前向き」であると判断して（ステップＡ２４のＹｅｓ）、前方の被写体に対して通常の撮影処理を実行する（ステップＡ２５）。この通常の撮影処理では、フォーカスレンズ６１ａを所定の基準位置に設定し、前方の被写体にピントを合わせるなどして撮影処理を行う。
【００７０】
また、回動角度検出部５４により撮像部１２が初期位置である０度の位置にあることが検出されると、制御部４１は撮像部１２の姿勢位置が「上向き」であると判断して（ステップＡ２４のＮｏ）、望遠撮影処理を実行する（ステップＡ２６）。この望遠撮影処理では、フォーカスレンズ６１ａを望遠側に移動させることで、撮影レンズ３１を真上にある遠方の被写体（例えば星）にピントに合わせるなどして撮影処理を行う。
【００７１】
なお、前記自分撮り撮影処理は、撮像部１２を装置本体１１の後方向に９０度に回動させた位置だけでなく、多少の角度幅を持たせて、例えば装置本体１１の後方向に４５〜１３５度の範囲内にあれば裏面向きであるとして実行される。前記通常撮影処理についても同様であり、撮像部１２を装置本体１１の前方向に９０度に回動させた位置だけでなく、多少の角度幅を持たせて、例えば装置本体１１の前方向に４５〜１３５度の範囲内にあれば前向きであるとして実行される。
【００７２】
続いて、前記ステップＡ２３で実行される顕微鏡撮影処理について、図７を用いて詳しく説明する。
【００７３】
図７は第１の実施形態におけるデジタルカメラ１０の顕微鏡撮影モード時の処理動作を示すフローチャートであり、撮像部１２の撮影レンズ３１を下向きにしたときに実行される。
【００７４】
すなわち、撮像部１２を特定の位置（初期位置から１８０度の位置）に回動させて撮影レンズ３１を下向きにすると、撮像部１２は、顕微鏡撮影モードを設定する。
【００７５】
この顕微鏡撮影モードでは、まず、撮影レンズ３１の下に置かれた被写体３３を所定の倍率で拡大して表示するべく、制御部４１は、レンズ駆動部６６ｂを通じてズームレンズ６１ｂ，６１ｃを移動させる（ステップＢ１１）。また、制御部４１は、撮像部１２に設けられた測光・測距センサ６７を通じて被写体３３までの距離を測り（ステップＢ１２）、その距離データに基づいてレンズ駆動部６６ａを通じてフォーカスレンズ６１ａを移動させて被写体３３に焦点を合わせる（ステップＢ１３）。
【００７６】
その後、制御部４１は、撮像部１２を通じて得られる被写体３３の撮影画像をスルー画像として表示部２３に表示する（ステップＢ１４）。その際に、メニューキー２０の操作などにより実寸目盛の表示が指定された場合には（ステップＢ１５のＹｅｓ）、制御部４１は、前記測距処理により得られた被写体３３までの距離データと現在のズーム倍率とに基づいて被写体３３の焦点面の実寸寸法を算出し（ステップＢ１６）、当該被写体３３のスルー画像にその実寸寸法を示す目盛を重ねて表示する（ステップＢ１７）。
【００７７】
図８はデジタルカメラ１０の顕微鏡撮影モードでの撮影シーンを示す図であり、デジタルカメラ１０をテーブルの上などに置き、撮像部１２の撮影レンズ３１を下向きにして、その撮影レンズ３１の下にセットされた被写体３３に対して撮影を行う場合の一例が示されている。
【００７８】
図８に示すように、撮像部１２によって得られた被写体３３の撮影画像は、装置本体１１に設けられた表示部２３の画面上にスルー表示される。この場合、被写体３３の撮影画像が最大倍率で表示されるため、例えば花びらなどの小さなものを被写体３３としてセットしておけば、顕微鏡で拡大表示している観察しているような感覚で被写体３３の撮影画像を表示部２３の画面上で確認することができる。
【００７９】
また、実寸目盛の表示が指定されていると、図９（ａ）に示すように、表示部２３の画面上に実寸目盛８１ａ，８１ｂが表示され、被写体３３の実寸法を知ることができる。なお、このような実寸目盛の表示とは別に、図９（ｂ）に示すように、被写体３３の中心を示すスケール８３ａ，８３ｂや被写体３３の傾き角度を示すスケール８２などをスルー画像に重畳して表示するようにしても良い。スケール８３ａ，８３ｂは、Ｘ軸とＹ軸の２本の十字線からなり、その交点が中心を表している。スケール８２は、３６０度の分度器のような形状をなし、被写体３３がどのくらい傾いているのかを表す。
【００８０】
図７に戻って、顕微鏡撮影モードにおいて、静止画の撮影を行う場合（ステップＢ１８のＹｅｓ）、制御部４１は、まず、測光・測距センサ６７を通じて撮像素子６５に入射される光量を測光処理し、その測光処理によって得られた光量データに基づいてホワイトバランス（ＷＢ）の調整処理などを行う（ステップＢ１９）。そして、シャッターキー１５が押下操作されたタイミングで、制御部４１は、所定の撮影条件に従って撮像部１２の撮影レンズ３１の下に置かれた被写体３３に対する静止画の撮影を行う（ステップＢ２０）。
【００８１】
なお、前記撮影条件にはシャッタ速度や絞り、ホワイトバランス、フラッシュ発光量などが含まれる。これらは、前記測距処理によって得られた距離データと前記測光処理によって得られた光量データとに基づいて最適な値に設定される。
【００８２】
さらに、メニューキー２０の操作により実寸目盛も重ねて記録する指定がなされていれば（ステップＢ２１のＹｅｓ）、制御部４１は、被写体３３の撮影画像に実寸目盛の画像に合成して取り込む（ステップＢ２２）。
【００８３】
このようにして、静止画の撮影画像が得られると、制御部４１は、その撮影画像を例えばＪＰＥＧ（Ｊｏｉｎｔ  Ｐｈｏｔｏｇｒａｐｈｉｃ  Ｅｘｐｅｒｔｓ  Ｇｒｏｕｐ）などの所定の圧縮方式にて圧縮符号化して装置本体１１内の画像メモリ４８または外部メモリ５０に記録すると共に（ステップＢ２３）、その撮影画像を表示部２３に表示する（ステップＢ２４）。
【００８４】
また、顕微鏡撮影モードにおいて、動画像に用いられるタイトルの撮影を行う場合には（ステップＢ２５のＹｅｓ）、制御部４１は、前記同様に測光処理とＷＢ処理を行った後（ステップＢ２６）、シャッターキー１５が押下操作されたときに、所定の撮影条件に従って撮影処理を行い（ステップＢ２７）、そのときに得られた撮影画像を動画撮影時に用いるタイトル画像として所定のファイル名を付けておくなどして装置本体１１内の画像メモリ４８または外部メモリ５０に記録すると共に（ステップＢ２８）、その撮影画像を表示部２３に表示する（ステップＢ２９）。
【００８５】
図１０はデジタルカメラ１０のタイトル画像の撮影シーンを示す図である。
【００８６】
顕微鏡撮影モードにおいて、撮像部１２の撮影レンズ３１の下にタイトル用の文字やイラストを描いた用紙８４を置き、所定の操作によりタイトル撮影モードを設定してシャッターキー１５を押下操作すると、前記用紙８４の撮影画像が動画撮影時に用いるタイトル画像として記録される。
【００８７】
図１１はそのタイトル画像の一例を示す図であり、図１１（ａ）はクリスマス用のタイトル画像、同図（ｂ）は七夕用のタイトル画像であり、それぞれに動画撮影時に所定の操作により読み出すことで、そのときに撮影されたる動画像の先頭に付加して記録することができる。
【００８８】
また、顕微鏡撮影モードにおいて、動画撮影を行う場合には（ステップＢ３０のＹｅｓ）、制御部４１は、動画用の測光処理とＷＢ処理を行った後（ステップＢ３１）、動画撮影キー１９の押下操作に伴い、動画撮影に設定された撮影条件に従って動画像の撮影処理を行う（ステップＢ３２）。そして、制御部４１は、その動画像撮影処理によって順次得られる複数フレームの撮影画像を例えばＭＰＥＧ（Ｍｏｖｉｎｇ  Ｐｉｃｔｕｒｅ  Ｅｘｐｅｒｔ  Ｇｒｏｕｐ）やｍｏｔｉｏｎ−ＪＰＥＧなどの所定の圧縮方式にて圧縮符号化して装置本体１１内の画像メモリ４８または外部メモリ５０に記録する（ステップＢ３３）。
【００８９】
この場合、上述したようにタイトル画像が既に記録済みであれば、動画撮影の際にそのタイトル画像（静止画像）を読み出すことで、タイトル付きの動画像を記録することができる。
【００９０】
このように、このデジタルカメラ１０では、撮像部１２を特定の位置に回動させて撮影レンズ３１を下向きにすると顕微鏡撮影モードが設定され、撮影レンズ３１の下に置かれた被写体３３を所定の撮影条件に従って撮影することができる。
【００９１】
この場合、通常のカメラでは、撮影者がそのカメラ本体を持ちながら被写体に近づいて撮影する必要があり、その際に手ぶれなどが生じ易いが、このデジタルカメラ１０では、テーブルの上などに置いた状態で撮影レンズ３１の下に被写体３３にセットすることができるので、高倍率のマクロ撮影であっても、手ぶれなどの心配はなく、モニタ画面を見ながら誰でも安定して撮影することができる。よって、例えば宝飾品のディテールの撮影や昆虫の局部撮影などを行う場合に便利である。
【００９２】
（第２の実施形態）
次に、本発明の第２の実施形態について説明する。
【００９３】
前記第１の実施形態では、撮像部１２の寸法や回動機構１３の偏心位置によっては、前述の顕微鏡撮影モードにおいて、撮影レンズ３１と被写体３３との間の距離をあまり確保できず、被写体３３の厚さが大きいものを撮影することができない場合がある。第２の実施形態では、このような不都合をなくすために、撮像部１２を長手方向に移動自在に支持することで、撮影レンズ１３が下向きのときに撮像部１２を上下方向に位置調整できるような構成としている。
【００９４】
図１２は本発明の第２の実施形態におけるデジタルカメラ９０の外観構成の一例を示す図である。なお、前記第１の実施形態におけるデジタルカメラ１０と機能的に同じ部分には同一符号を付し、その詳しい説明は省略するものとする。
【００９５】
このデジタルカメラ９０は、前記デジタルカメラ１０と同様に装置本体１１と撮像部１２とからなり、撮像部１２が装置本体１１に回動機構１３を介して装置本体１１の前後に回動可能な構成を有する。
【００９６】
装置本体１１には、シャッターキー１５、動画撮影キー１９、モードキー１８、フラッシュキー１８ａ、メニューキー２０、カーソルキー２１、ＤＩＳＰキー２２などを含む各種操作キーが設けられていると共に、その裏面１１ｂには撮影時に電子ファインダとして機能する表示部２３が配設されている。一方、撮像部１２は、その先端面に撮影レンズ３１を有すると共に、内部にＣＣＤなどからなる撮像素子６５などを有する。
【００９７】
ここで、第２の実施形態において、撮像部１２の回動部分を回動機構１３とその回動機構１３に取り付けた支持機構９１の二重構造とし、支持機構９１には撮影レンズ３１を図示のように下向きにした状態で撮像部１２を上下方向に位置調整可能な位置調整機構９２を設けている。
【００９８】
支持機構９１は、装置本体１１の一側面の中心から少し偏心した位置に回動機構１３を介して回転自在に取り付けられていると共に、撮像部１２と略同じ長さを有し、撮像部１２と共に回動機構１３を介して装置本体１１の前後に３６０度回動可能である。また、この支持機構９１に設けられた位置調整機構９２は、撮像部１２の長手方向に沿って配設されたラックレール９２ａと、支持機構９１の端部に固定され、ラックレール９２ａの切欠き部に係合して回転するピニオン（歯車）９２ｂとからなり、撮像部１２を支持機構９１に沿って移動自在に支持している。
【００９９】
また、図１２の例ではクレードル１００が用いられている。このクレードル１００は、装置本体１１に設けられた接続端子２７に接続するコネクタ部１０１の他、充電時に用いられるＤＣ入力コネクタ１０３、外部機器との接続に用いられるＵＳＢコネクタ１０４、ＬＡＮコネクタ１０５などが設けられている。
【０１００】
第２の実施形態において、このクレードル１００は装置本体１１内の電池５２に充電を行うための充電台として用いられる一方で、ここでは回動機構１３によって形成される所定の間隙を広げる方向に装置本体１１を持ち上げる構造を有し、装置本体１１の載置台としての役割を担う。
【０１０１】
すなわち、図１２に示すように、このデジタルカメラ９０の撮像部１２を特定の位置に回動させて撮影レンズ３１を下向きにした状態において、撮像部１２が移動可能な最大距離は、前記第１の実施形態における回動機構１３の偏心による最大距離ｄ１に、位置調整機構９２による撮像部１２の最大距離ｄ２と、クレードル１００の高さｄ３を加えた値、つまり、（ｄ１＋ｄ２＋ｄ３）となる。
【０１０２】
したがって、厚さがｔ１の被写体３３をセットした場合に、（ｄ１＋ｄ２＋ｄ３−ｔ１）だけの距離を確保でき、また、クレードル１００に装置本体１１を接続しない場合でも、（ｄ１＋ｄ２−ｔ１）だけの距離を確保できる。
【０１０３】
装置本体１１には、前記位置調整機構９２による位置調整作を指示するための位置調整キー９３ａ，９３ｂが設けられている。位置調整キー９３ａは撮像部１２を正方向（下方向）に移動させるためのキー、位置調整キー９３ｂは撮像部１２を正方向とは反対の方向（上方向）に移動させるためのキーである。これにより、撮影レンズ３１を下向きにして撮影する場合に、被写体３３の厚みに応じて位置調整キー９３ａ，９３ｂの操作により撮像部１２の上下方向（間隙を広げる方向）の位置を調整できる。
【０１０４】
なお、このような位置調整キー９３ａ，９３ｂを専用に設けなくとも、例えばカーソルキー２１を位置調整キーに割り当てるようにしても良い。さらに、手動操作で撮像部１２を移動させるような構成であっても良い。
【０１０５】
また、クレードル１００には、通常の充電機能や撮影画像データ等のＰＣやプリンタなど外部機器への転送通信機能以外に、マクロ（接写）撮影用に被写体３３を照らす照明ライト１０２を設け、この照明ライト１０２を手動もしくは自動的に点灯できるように構成しても良い。
【０１０６】
図１３は第２の実施形態におけるデジタルカメラ９０の回路構成を示すブロック図である。なお、図５に示した回路構成と同じ部分には同一符号を付して、その説明は省略するものとする。
【０１０７】
装置本体１１および撮像部１２の回路構成については、基本的には前記図５と同様である。ただし、操作入力部４２には、撮像部１２の位置調整を指示するための位置調整キー９３ａ，９３ｂが含まれる。
【０１０８】
ここでは、撮像部１２が支持機構９１および位置調整機構９２を介して回動可能かつ位置調整可能に装置本体１１に支持されている点が異なる。支持機構９１には、駆動部９４が設けられている。この駆動部９４は、位置調整キー９３ａ，９３ｂの操作に従った制御部４１からの駆動指令により、位置調整機構９２の構成部品であるピニオン９２ｂを正転あるいは逆転駆動する。このときのピニオン９２ｂの回転運転はラックレール９２ａにより直進運動に変換されて撮像部１２に伝達され、撮像部１２は支持機構９１に沿って移動することになる。
【０１０９】
また、クレードル１００には、マイクロコンピュータからなる制御部１０６と、この制御部１０６に接続される充電制御部１０７、照明駆動部１０８、操作部１０９、インジケータ１１０、ＵＳＢ通信インタフェース１１１、ＵＳＢ通信インタフェース１１２などが備えられている。
【０１１０】
充電制御部１０７は、ＤＣ入力コネクタ１０３から入力される電源電圧を受けて、装置本体１１に対して充電用の電圧を供給制御する。照明駆動部１０８は、照明ライト１０２を指定された光量で点灯駆動する。操作部１０９はクレードル１００の各種操作指示を行うための操作キーなどからなり、インジケータ１１０は各種作業状態を示すランプなどからなる。また、ＵＳＢ通信インタフェース１１１はＵＳＢコネクタ１０４を介して接続される外部機器との通信処理、ＵＳＢ通信インタフェース１１２はＬＡＮコネクタ１０５を介して接続される外部機器との通信処理を行う。
【０１１１】
このような構成のデジタルカメラ９０にあっては、前記第１の実施形態と同様に、撮像部１２を回動させたときの角度が回動角度検出部５４により検出され、その検出信号が制御部４１に入力される。制御部４１では、この撮像部１２の回動させたときの角度に基づいて撮像部１２の姿勢位置を判断し、撮影レンズ３１が下向きにある位置にあれば、顕微鏡撮影モードを設定する。
【０１１２】
ここで、位置調整キー９３ａ，９３ｂを押下操作すると、位置調整機構９２が駆動され、撮像部１２は撮影レンズ３１の下に置かれた被写体３３に対して上下方向に移動することになる。
【０１１３】
この場合、クレードル１００を用いてデジタルカメラ９０の装置本体１１をクレードル１００に接続すれば、そのクレードル１００の設置面から最大で（ｄ１＋ｄ２＋ｄ３）の高さまで撮像部１２を上げることができる。したがって、厚みのある被写体３３であっても、その厚さに応じて撮像部１２の上下方向（間隙を広げる方向）の位置を調整しながら、顕微鏡撮影モードによるマクロ撮影が可能である。
【０１１４】
なお、このときに被写体３３までの距離に応じて焦点を調整したり、フラッシュ発光量などを含む撮影条件を自動設定したり、さらに、表示部２３に実寸目盛を表示するなど、前記第１の実施形態と同様の撮影処理が実行される。
【０１１５】
また、クレードル１００に設けられた照明ライト１０２により被写体３３を照らしておけば、被写体３３のスルー画像が表示部２３の画面上で明るく写し出されるので、ライト付き顕微鏡のレンズを覗いているような感覚で被写体３３の撮影画像を確認できるなどの利点がある。
【０１１６】
なお、前記第１の実施形態におけるデジタルカメラ１０にクレードル１００を接続して、装置本体１１の設置面から高さを確保することも可能である。
【０１１７】
また、本発明の撮像装置としては、デジタルカメラに限らず、例えば回動式カメラを備えた携帯電話器やＰＤＡ（Personal Digital Assistants）などの電子機器であっても良い。
【０１１８】
要するに、本発明は前記各実施形態そのままに限定されるものではなく、実施段階ではその要旨を逸脱しない範囲で構成要素を変形して具体化できる。また、前記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１１９】
また、上述した各実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【０１２０】
また、前述したＣＤ−ＲＯＭやＤＶＤ−ＲＯＭ等の記録媒体の他にも、例えば、Ｂｌｕ−ｒａｙ  Ｄｉｓｃ（Ｒ）やＡＯＤ(Advanced Optical Disc)などの青色レーザを用いた次世代光ディスク、赤色レーザを用いるＨＤ−ＤＶＤ９、青紫色レーザを用いるＢｌｕｅ  Ｌａｓｅｒ  ＤＶＤなど、今後開発される種々の大容量記録媒体を用いて本発明を実施することが可能である。
【図面の簡単な説明】
【０１２１】
【図１】本発明の第１の実施形態に係る撮像装置として回動式のデジタルカメラを例にした外観構成の一例を示す図であり、図１（ａ）は装置本体の上面図、同図（ｂ）は装置本体の裏面図、同図（ｃ）は装置本体の正面図、同図（ｄ）は装置本体の底面図、同図（ｅ）は撮像部のレンズを下向きにした場合の装置本体の裏面図を示す図。
【図２】同実施形態におけるデジタルカメラの通常撮影モード時の撮像部の姿勢位置を示す図。
【図３】同実施形態におけるデジタルカメラの自分撮り撮影モード時の撮像部の姿勢位置を示す図。
【図４】同実施形態におけるデジタルカメラの顕微鏡撮影モード時の撮像部の姿勢位置を示す図。
【図５】同実施形態におけるデジタルカメラの回路構成を示すブロック図。
【図６】同実施形態におけるデジタルカメラの電源投入時の処理動作を示すフローチャート。
【図７】同実施形態におけるデジタルカメラの顕微鏡撮影モード時の処理動作を示すフローチャート。
【図８】同実施形態におけるデジタルカメラの顕微鏡撮影モードでの撮影シーンを示す図。
【図９】同実施形態におけるデジタルカメラの顕微鏡撮影モードでの実寸目盛の表示例を示す図。
【図１０】同実施形態におけるデジタルカメラのタイトル画像の撮影シーンを示す図。
【図１１】同実施形態におけるデジタルカメラのタイトル画像の一例を示す図。
【図１２】本発明の本発明の第２の実施形態におけるデジタルカメラの外観構成の一例を示す図。
【図１３】同実施形態におけるデジタルカメラの回路構成をクレードルの回路構成と共に示すブロック図。
【符号の説明】
【０１２２】
１０…デジタルカメラ、１１…装置本体、１２…撮像部、１３…回動機構、１４…電源キー、１５…シャッターキー、１６…ズーム操作レバー、１７…スピーカ、１８…モードキー、１８ａ…フラッシュキー、１９…動画撮影キー、２０…メニューキー、２１…カーソルキー、２２…ＤＩＳＰキー、２３…表示部、２４…マイクロフォン、２５…グリップ、２６…電池収納部、２７…接続端子、２８…三脚穴、３１…撮影レンズ、３２…フラッシュ、３３…被写体、４１…制御部、４２…操作入力部、４３…入力インタフェース、４４…表示メモリ、４５…表示駆動部、４６…画像信号処理部、４７…圧縮符号化／復号部、４８…画像目盛、４９…外部メモリインタフェース、５０…外部メモリ、５１…電源制御部、５２…電池、５３…外部Ｉ／Ｏインタフェース、５４…回動角度検出部、６１ａ…フォーカスレンズ、６１ｂ，６１ｃ…ズームレンズ、６２…絞り機構、６３…ハーフミラー、６４…シャッタ、６５…撮像素子、６６ａ，６６ｂ…レンズ駆動部、６７…測光・測距センサ、６８…ＣＤＳ／ＡＧＣ回路、６９…Ａ／Ｄ回路、７０…タイミング制御＆ドライバ、７１…フラッシュ駆動部、８１ａ，８１ｂ…実寸目盛、８２…角度用のスケール、８３ａ，８３ｂ…中心用のスケール、８４…タイトル用の用紙、９０…デジタルカメラ、９１…支持機構、９２…位置調整機構、９３ａ，９３ｂ…位置調整キー、９４…駆動部、１００…クレードル、１０１…コネクタ部、１０２…照明ライト、１０３…ＤＣ入力コネクタ、１０４…ＵＳＢコネクタ、１０５…ＬＡＮコネクタ、１０６…制御部、１０７…充電制御部、１０８…照明駆動部、１０９…操作部、１１０…インジケータ、１１１…ＵＳＢ通信インタフェース、１１２…ＵＳＢ通信インタフェース。
【図１】
2006050012.tif 000003
【図２】
2006050012.tif 000004
【図３】
2006050012.tif 000005
【図４】
2006050012.tif 000006
【図５】
2006050012.tif 000007
【図６】
2006050012.tif 000008
【図７】
2006050012.tif 000009
【図８】
2006050012.tif 000010
【図９】
2006050012.tif 000011
【図１０】
2006050012.tif 000012
【図１１】
2006050012.tif 000013
【図１２】
2006050012.tif 000014
【図１３】
2006050012.tif 000015